(57)【要約】【課題】テープ巻重体がケーシング内でガタ付くのを確実に防ぐことができるテープ巻重体の包装体を提供する。【解決手段】テープ巻重体６  の包装体１  は、屈曲加工可能なシート材で構成されかつ底壁２  とこれに連なる両側壁３，４  とからなる。両側壁の複数箇所にて両側壁を切込んで対向する折込み片２３，２４，２５，２６を形成し、これら複数対の折込み片をテープ巻重体の円環内へ重ね状に折込むことによりテープ巻重体の内周面に近接する複数の支持壁２１，２２を設ける。両側壁の後端下部にそれぞれ突状の後壁１６，１７を延設し、これらを側壁間内へ折返すことにより、該後壁を復元力でテープ巻重体の側面に圧接する制動片とする。ケーシング５  底部のテープ巻重体相当位置にテープ巻重体を挾付けるための押圧部３７，３８  を形成するように切込み線３３，３２を入れる。【選択図】    図１
2004250206.tif 000002
【特許請求の範囲】
【請求項１】
屈曲加工可能なシート材で構成されかつ底壁とこれに連なる両側壁とからなるケーシング内にテープ巻重体を収容する包装体において、両側壁の複数箇所にて両側壁を切込んで対向する折込み片を形成し、これら複数対の折込み片をテープ巻重体の円環内へ重ね状に折込むことによりテープ巻重体の内周面に近接する複数の支持壁を設けたことを特徴とするテープ巻重体の包装体。
【請求項２】
両側壁の後端下部にそれぞれ突状の後壁を延設し、これらを側壁間内へ折返すことにより、該後壁を復元力でテープ巻重体の側面に圧接する制動片としたことを特徴とする請求項１に記載のテープ巻重体の包装体。
【請求項３】
ケーシング底部のテープ巻重体相当位置にテープ巻重体を挾付けるための押圧部を形成するように切込み線を入れるか、または同位置に指操作用の切欠きを設けたことを特徴とする請求項１または２に記載のテープ巻重体の包装体。
【請求項４】
底壁の下面にスケールを備える請求項１〜３のいずれかに記載のテープ巻重体の包装体。
【発明の詳細な説明】
【０００１】
【発明の属する技術分野】
本発明は、紙やプラスチックシート等の屈曲加工可能なシート材で構成されかつ底壁とこれに連なる両側壁とからなるケーシング内に、巻芯とこれに巻装された粘着テープとからなるテープ巻重体を収容する包装体に関する。
【０００２】
【従来の技術】
従来、この種の構造のテープ巻重体の包装体では、図６に示すように、ケーシング（５８）の両側壁（５１）（５２）のほぼ中央の一箇所で両側壁を切り込んで対向する折込み片（５３）（５４）を形成し、この一対の折込み片をテープ巻重体（５５）の巻芯（５６）の円環内へ重ね状に折込んで支持壁（５７）を形成することが提案されている（特許文献１参照）。なお、図中、（５９）（６０）は前部補強壁、（６１）は底部補強壁、（６２）は切刃である。
【０００３】
しかし、この構造では該支持壁（５７）は側壁（５１）（５２）の一箇所にしか設けられていないのでテープ巻重体（５５）がケーシング（５８）内でガタ付くのを防ぐことができない。
【０００４】
【特許文献１】
特開平９−１５１０２１号公報、特にその段落［０００７］および図１。
【０００５】
【発明が解決しようとする課題】
本発明は、上記の点に鑑み、テープ巻重体がケーシング内でガタ付くのを確実に防ぐことができるテープ巻重体の包装体を提供することを課題とする。
【０００６】
【課題を解決するための手段】
本発明によるテープ巻重体の包装体は、屈曲加工可能なシート材で構成されかつ底壁とこれに連なる両側壁とからなるケーシング内にテープ巻重体を収容する包装体において、両側壁の複数箇所にて両側壁を切込んで対向する折込み片を形成し、これら複数対の折込み片をテープ巻重体の円環内へ重ね状に折込むことによりテープ巻重体の内周面に近接する複数の支持壁を設けたことを特徴とするものである。
【０００７】
本明細書全体を通して、粘着テ−プをケーシングから引出す（巻戻す）方向、すなわち図３の左方向を前方とし、その逆方向を後方とする。
【０００８】
屈曲加工可能なシート材は、紙やプラスチックシート等であってよく、シート材の材質および厚さは、折返し状に屈曲した場合に折返し前の状態に戻ろうとする復元力が発現するように選ばれる。巻芯の材料は、ボール紙やクラフト紙のような大きな強度を有する厚手の紙、プラスチックその他であってよい。巻芯に巻装された粘着テープは、片面に剥離紙を有する両面粘着テ−プ、剥離紙を有していない両面粘着テ−プや、セロハン粘着テ−プ等の片面粘着テ−プであってよい。
【０００９】
両側壁に亘って設けられる支持壁の個数は、通常は２個、例えば上下一対であるが、３個以上であってもよい。支持壁の形状は通常は矩形、帯状等であるが、これらに限定されない。
【００１０】
本発明によるテープ巻重体の包装体において、両側壁の後端下部にそれぞれ突状の後壁を延設し、これらを側壁間内へ折返すことにより、該後壁を復元力でテープ巻重体の側面に圧接する制動片とすることが好ましい。
【００１１】
また、ケーシング底部のテープ巻重体相当位置にテープ巻重体を挾付けるための押圧部を形成するように切込み線を入れるか、または同位置に指操作用の切欠きを設けることも好ましい。切込み線は、形成される押圧部がケーシング底部に一部で連なったままになるように、例えば両側壁のみに入れられる。切込み線の形状は、半円弧状、半楕円弧状、半多角状などであってよい。切欠きは、ケーシング底部において少なくとも一方の側壁、または少なくとも一方の側壁から底壁に亘って形成されてよい。切欠きの形状は、側面からみて半円状、半楕円状、半多角状などであってよい。
【００１２】
底壁の下面すなわち外面にスケールを備えることも好ましい。スケールは通常は印刷によって底壁の下面に形成されるが、別体のスケールをここに接着剤等で取付けてもよい。
【００１３】
【発明の実施の形態】
本発明を図面に基づいて具体的に説明する。
【００１４】
図１〜図５において、テープ巻重体の包装体（１）  は、底壁（２）  とこれに折線（１０）（１１）を介して連なる両側壁（３）  （４）  とからなるケーシング（５）  内にテープ巻重体（６）  を収容するものである。両側壁（３）  （４）  は折線（１０）（１１）にて底壁（２）  に対し直角に屈曲され、互いに対向している。テープ巻重体（６）  は環帯状の巻芯（７）  とこれに巻装された両面粘着テ−プ（８）  とからなる。ケーシング（５）  は厚目の紙で構成され、巻芯（７）  はクラフト紙で構成され、両面粘着テ−プ（８）  は外面に剥離紙を有するものである。両側壁（３）  （４）  の上縁部は収容されるテープ巻重体（６）  の外周形状に沿うよう弧状状になされている。
【００１５】
底壁（２）  および両側壁（３）  （４）  の各前端下部に亘って折線（２０）を介して前方突壁（３５）が延設され（図４参照）、これが折線（２０）にて後方向きに折返されて底部補強壁（１２）および側部補強壁（１３）（１４）が形成されている。
【００１６】
対向する側部補強壁（１３）（１４）の間がテープの引出口（９）  とされている。底部補強壁（１２）の前端には切欠き部（３６）が形成され、ここに切刃（１５）の刃先が出るように、切刃（１５）を底部補強壁（１２）の前端部に固定する。両面粘着テ−プ（８）  はケーシング（５）  の引出口（９）  から引出され、切刃（１５）で切断される。
【００１７】
両側壁（３）  （４）  の各後端下部に突状の後壁（１６）（１７）が折線（１８）（１９）を介してそれぞれ延設され（図４参照）、これら後壁（１６）（１７）が折線（１８）（１９）にて側壁間内へ折返されている。こうして折返された後壁（１６）（１７）は、反折返し方向へ戻そうとする復元力によりテープ巻重体（１）  の側面に圧接し、テープ巻重体（６）  の無駄な回転を抑える制動片として機能する。
【００１８】
両側壁（３）  （４）  には、テープ巻重体（６）  の円環内に相当する位置にて上下二箇所に支持壁（２１）（２２）が両側壁（３）  （４）  に亘って形成されている。該支持壁（２１）（２２）の形成はつぎのように行う。両側壁（３）  （４）  の各々における円環内相当位置に上下２箇所で側壁を横長舌状に切込んで上部折込み片（２３）（２４）および下部折込み片（２５）（２６）を形成する。上部折込み片（２３）（２４）どうしおよび下部折込み片（２５）（２６）どうしはそれぞれ対向するように位置させる。折込み片の舌状出幅は両側壁の間隔に一致させ、各側壁における上部舌上部と下部舌上部の間の部分は除去する。対向する上部折込み片（２３）（２４）どうしを折線（２７）（２８）で、対向する下部折込み片（２５）（２６）どうしを折線（２９）（３０）で、それぞれテープ巻重体（６）  の円環内へ重ね状に折込み互いに接着させる。こうして形成した上下支持壁（２１）（２２）の両端部は巻芯（７）  の内面に近接し、同内面に接触していてもよい。上下支持壁（２１）（２２）の形成により、両側壁（３）  （４）  において上下支持壁（２１）（２２）の間の部分が両側壁（３）  （４）  を貫通する長方形の窓部（３１）となされている。
【００１９】
両側壁（３）  （４）  の底部にはそれぞれ、テープ巻重体相当位置に対向状の押圧部（３７）（３８）を形成するように略半円弧状の切込み線（３３）（３２）が入れてある。一対の両側の押圧部（３７）（３８）は、これらを指で押さえてテープ巻重体を挾付けることにより、テープ切断時にテープ巻重体（６）  が回転するのを防ぐものである。
【００２０】
ケーシング（５）  の底部のテープ巻重体相当位置には、図５に示すように、両側壁（３）  （４）  から底壁（２）  にかけて底部指操作用の切欠き（３４）を設けてもよい。切欠き（３４）の形状は、側面からみて半円状である。切欠き（３４）は、ここで指操作によりテープ巻重体（６）  を巻戻し方向に回し送るものであり、このようにすることによりテープ先端を指で引出さなくてもこれをケーシング（５）  から外へ出せる。また、切欠きにおいてテープ巻重体がケーシング外部から見えるので、テープ残量がわかる。
【００２１】
図５の変形例では、底壁（２）  の下面全長にスケール（３９）が印刷されている。これによって、引出したテープの所要長さを測り、切刃（１５）で切断する。
【００２２】
本発明によるテープ巻重体の包装体を組み立てるには、まず底壁（２）  および両側壁（３）  （４）  に亘って前方延設された突壁（３５）を折線（２０）にて後方向きに折返されて底部補強壁（１２）および側部補強壁（１３）（１４）を形成する。底部補強壁（１２）に切刃（１５）を固定し、その刃先を引出口（９）  の下端に臨ませる。両側壁（３）  （４）  の各後端下部に延設された突状の後壁（１６）（１７）を折線（１８）（１９）にて側壁間内へ折返し、制動片を形成する。
【００２３】
つぎに、一方の側壁（３）  を水平に配し、その上にテープ巻重体（６）を載置し、折線（１０）にて底壁（２）  を垂直に折立て、さらに折線（１１）にて他方の側壁（４）  を底壁（２）  に対し直角に折って一方の側壁（３）  に対向させる。
【００２４】
最後に、両側壁（３）  （４）  にて、対向する上部折込み片（２３）（２４）どうしを折線（２７）（２８）で、対向する下部折込み片（２５）（２６）どうしを折線（２９）（３０）で、それぞれテープ巻重体（６）  の円環内へ重ね状に折込み、互いに接着させ、上下支持壁（２１）（２２）を形成する。
【００２５】
【発明の効果】
本発明によるテープ巻重体の包装体はつぎのような効果を発揮する。
【００２６】
両側壁間に支持壁をテープ巻重体の内周面に近接するように複数個設けてあるので、テープ巻重体がケーシング内でガタ付くのを確実に防ぐことができる。
【００２７】
両側壁の後端下部に延設した後壁を側壁間内へ折返し復元力でテープ巻重体の側面に圧接する制動片とすることにより、テープ引出しの際にテープ巻重体が不必要に回転するのを制動片で防ぐことができる。また、保管中にテープ巻重体が不測に回転することでテープ先端がケーシング内に隠れてしますことも防止できる。
【００２８】
ケーシングの底部には対向状の押圧部を形成するように切込み線を入れる場合、これら押圧部を指で押さえてテープ巻重体を挾付けることにより、テープ切断時にテープ巻重体が回転するのを防ぐことができ、使い勝手がよい。
【００２９】
ケーシングの底部に指操作用の切欠きを設ける場合、指操作でテープ巻重体を巻戻し方向に回し送ることによりテープ先端を指で引出さなくてもこれを取出口から送出すことができ、やはり使い勝手がよい。また、切欠きにおいてテープ巻重体がケーシング外部から見えるので、テープ残量がわかるという利便もある。
【００３０】
底壁の下面にスケールを設けることにより、テープの所要長さを簡便に測ることができ、この点でも使い勝手がよい。
【図面の簡単な説明】
【図１】本発明の一実施例を示す、テープ巻重体の包装体を斜め下から見た一部切欠き斜視図である。
【図２】図１中のＩＩ−ＩＩ線に沿う断面図である。
【図３】図１中のＩＩＩ−ＩＩＩ線に沿う断面図である。
【図４】図１に示すテープ巻重体の包装体の展開図である。
【図５】他の実施例を示す、図１相当の斜視図である。
【図６】従来のテープ巻重体の包装体を示す斜視図である。
【符号の説明】
（１）  ：包装体
（２）  ：底壁
（３）  （４）  ：両側壁
（５）  ：ケーシング
（６）  ：テープ巻重体
（７）  ：巻芯
（８）  ：両面粘着テ−プ
（１６）（１７）：後壁（制動片）
（２１）（２２）：支持壁
（２３）（２４）：上部折込み片
（２５）（２６）：下部折込み片
（３７）（３８）：押圧部
（３３）（３２）：切込み線
（３４）：切欠き
（３９）：スケール
【図１】
2004250206.tif 000003
【図２】
2004250206.tif 000004
【図３】
2004250206.tif 000005
【図４】
2004250206.tif 000006
【図５】
2004250206.tif 000007
【図６】
2004250206.tif 000008